(57)【要約】【課題】放流用開口部を全開させるのに必要な上下方向のスペースを小さく抑えることで、スペース上の制約を緩和し、設置不能になるのを回避することができる折りたたみ式制水扉を提供する。【解決手段】扉体５がヒンジ結合部２０により上下に折りたたみ可能に連結された上側の扉体５Ａと下側の扉体５Ｂとからなり、これら両扉体５Ａ，５Ｂが上下方向で真直に連続した非折りたたみ姿勢で、放流用開口部３が全閉される。一方、この全閉状態から開閉装置ににより下側の扉体５Ｂを吊り上げることで、上側の扉体５Ａの上昇が結合部材１７Ａにより規制されて、両扉体５Ａ，５Ｂがヒンジ結合部２０を基点に放流用開口部３から離れる方向で上下に折りたたまれて放流用開口部３を全開させる。【選択図】        図７
2004162371.tif 000002
【特許請求の範囲】
【請求項１】
水路または水槽の放流端に構築された水門壁に貫設されている放流用開口部が扉体によって開閉されるように構成した制水扉において、前記扉体がヒンジ結合部により上下に折りたたみ可能に連結された上側の扉体と下側の扉体とからなり、これら両扉体が上下方向で真直に連続した非折りたたみ姿勢で、下側の扉体が開閉装置に吊り下げられて前記両扉体により前記放流用開口部が閉じられ、前記開閉装置による下側の扉体の吊り上げ時に上側の扉体の上昇が規制されて前記両扉体が前記ヒンジ結合部を基点に前記放流用開口部から離れる方向で上下に折りたたまれて該放流用開口部が開放されるように構成されていることを特徴とする折りたたみ式制水扉。
【発明の詳細な説明】
【０００１】
【発明の属する技術分野】
本発明は、折りたたみ式制水扉に関する。
【０００２】
【従来の技術】
従来より、図８および図９に示すように、水路または水槽１などの放流端に水門壁２が構築され、この水門壁２の下端部に放流用開口部３が貫設されており、放流用開口部３の前側に枠状の戸当り４が取付けられ、この戸当り４の前面に扉体５の裏面を当接させ、該扉体５の幅方向両端部の前面は、戸当り４の前側に対向して取付けられた案内板６の裏面に当接させた状態で、開閉機７とスピンドル８とを備えた開閉装置によって扉体５を昇降させることで、放流用開口部３を開閉するように構成した制水扉が知られている（たとえば、特許文献１参照。）。
【０００３】
前記構成の制水扉では、扉体５が図９のように下限位置に位置決めされた放流用開口部３の全閉状態において、開閉機７によってスピンドル８を介して扉体５を上限位置まで上昇させて位置決めすることにより、放流用開口部３を全開して、水路または水槽１の水をたとえば水門壁２より下流側の水路９に放流することができる。また、扉体５を上限位置と下限位置の間の任意の位置に位置決めして、放流用開口部３の開度を調整することによって、下流側の水路９への放流量を調整することも可能である。
【０００４】
【特許文献１】
特開２００２−１８０４４４号公報（図６、図７）
【０００５】
【発明が解決しようとする課題】
ところで、前記従来の制水扉では、放流用開口部３の上端位置Ｐから、少なくとも扉体５の高さＨよりも著しく大きい高さＨ１に相当する大きい（高い）スペース、つまり、扉体５を上限位置まで上昇させて、放流用開口部３を全開させることが可能な上下方向のスペースＨ１が必要であるとともに、さらに、開閉機７の高さが加算されることになるので、設備のトータル高さが相当に大きくなる。このため、制水扉の設置場所によっては、スペース上の制約により設置不能になる場合がある。
【０００６】
本発明は、このような事情を考慮してなされたもので、放流用開口部を全開させるのに必要な上下方向のスペースを小さく抑えることで、スペース上の制約を緩和し、設置不能になるのを回避することができる折りたたみ式制水扉を提供することを目的している。
【０００７】
【課題を解決するための手段】
前記目的を達成するために、本発明に係る折りたたみ式制水扉は、水路または水槽の放流端に構築された水門壁に貫設されている放流用開口部が扉体によって開閉されるように構成した制水扉において、前記扉体がヒンジ結合部により上下に折りたたみ可能に連結された上側の扉体と下側の扉体とからなり、これら両扉体が上下方向で真直に連続した非折りたたみ姿勢で、下側の扉体が開閉装置に吊り下げられて前記両扉体により前記放流用開口部が閉じられ、前記開閉装置による下側の扉体の吊り上げ時に上側の扉体の上昇が規制されて前記両扉体が前記ヒンジ結合部を基点に前記放流用開口部から離れる方向で上下に折りたたまれて該放流用開口部が開放されるように構成されていることを特徴としている。
【０００８】
本発明によれば、上側の扉体と下側の扉体が上下方向で真直に連続した非折りたたみ姿勢で放流用開口部を閉じている全閉状態において、開閉装置を開扉方向に作動すると、まず、下側の扉体が上昇しながら、両扉体がヒンジ結合部を基点に放流用開口部から離れる方向に折りたたまれて、放流用開口部を開放した全開状態が得られるので、扉体を上限位置まで上昇させて、放流用開口部を全開させるのに必要な上下方向のスペースが、放流用開口部の上端位置から最小限で両扉体の厚さ寸法の和の値程度にまで小さく抑えることができる。
【０００９】
【発明の実施の形態】
以下、本発明の一実施の形態を図面に基づいて説明する。図１は本発明の一実施の形態を示す正面図、図２は図１の右側面図、図３は図１のＡ−Ａ線拡大断面図、図４は図１のＢ−Ｂ線とＣ−Ｃ線の拡大断面図である。なお、前記従来の図８および図９と同一もしくは相当部分には同一符号を付して重複する構造と作用の説明は省略する。
【００１０】
図１〜図２において、扉体５がヒンジ結合部２０により上下二つに折りたたみ可能に連結された上側の扉体５Ａと下側の扉体５Ｂとからなり、上側の扉体５Ａの上端部には、左右両側に張り出してローラ１０，１０が取付けられ、下側の扉体５Ｂの下端部には、左右両側に張り出してローラ１１，１１が取付けられており、これらローラ１０，１０、１１，１１は、第１ローラ案内部１２，１２と第２ローラ案内部１３，１３との間に転動自在に介在している。すなわち、第１ローラ案内部１２，１２は、両扉体５Ａ，５Ｂによる放流用開口部３の全閉状態で扉体５の周縁部裏面が当接する枠状の戸当り４における幅方向両側にはみ出して上方に少しのびて設けられ（図５参照）、第２ローラ案内部１３，１３は、図６に示すように、前記第１ローラ案内部１２，１２に対向して設けることができる大きさと形状を有している。なお、第１ローラ案内部１２，１２と第２ローラ案内部１３，１３の上端部は、図１および図２で明らかなように、結合部材１７Ａによって所定の対向間隔を有して互いに結合され、また、第１ローラ案内部１２，１２と第２ローラ案内部１３，１３の下端部は、結合部材１７Ｂによって所定の対向間隔を有して互いに結合されている。
【００１１】
一方、下側の扉体５Ｂの下端部に取付けられているローラ１１，１１のローラ軸１１Ａ，１１Ａには、左右一対のスピンドル８，８の下端部がローラ軸１１Ａ，１１Ａとの回動を自在に連結され、これらスピンドル８，８と、該スピンドル８，８の上端側を組み込んだ左右一対の開閉機７，７とで扉体５の開閉装置を構成している。
【００１２】
他方、ヒンジ結合部２０は、図１、図３および図４に示すように、扉体４の幅方向にのびるヒンジピン２０Ａと、このヒンジピン２０Ａの軸まわりの回動を自在に該ヒンジピン２０Ａを挿通して上側の扉体５Ａの下端部に設けた第１ヒンジピン挿通部１４と、第１ヒンジピン挿通部１４の左右両側でヒンジピン２０Ａの軸まわりの回動を自在に該ヒンジピン２０Ａを挿通して下側の扉体５Ｂの上端部に設けた第２ヒンジピン挿通部１５，１５とを備えている。そして、両扉体５Ａ，５Ｂが上下方向で真直に連続した非折りたたみ姿勢で、下側の扉体５Ｂが開閉装置にけるスピンドル８，８に吊り下げられた両扉体５Ａ，５Ｂによる放流用開口部３の全閉状態において、互いに当接する両扉体５Ａ，５Ｂの合せ面にシール部材１６，１６を設けて止水性能を高めてある。また、第１ヒンジピン挿通部１４と第２ヒンジピン挿通部１５，１５との摺接部分の少なくとも一方側にシール部材１８を設けて止水性能を高めてある。
【００１３】
前記構成において、扉体５を図２のように下限位置に位置決めすることで、水門壁２に貫設されている放流用開口部３を扉体５によって閉塞した全閉状態、つまり、両扉体５Ａ，５Ｂが上下方向で真直に連続した非折りたたみ姿勢で、下側の扉体５Ｂが開閉装置におけるスピンドル８，８に吊り下げられて両扉体５Ａ，５Ｂにより放流用開口部３が閉じられた全閉状態を得ることができる。
【００１４】
前記図２の状態で、開閉装置における開閉機７を扉体５の「開方向」に操作すると、スピンドル８を介して下側の扉体５Ｂの下端部に取付けられているローラ１１，１１とローラ軸１１Ａ，１１Ａが引き上げられ、ローラ１１，１１は回転しながら第１ローラ案内部１２，１２と第２ローラ案内部１３，１３に案内されて上昇し、この上昇に伴って上側の扉体５Ａの上端部に取付けられているローラ１０，１０が回転しながら上側の結合部材１７Ａに当接する位置まで少し上昇してそれ以後の上昇が規制される。この状態からさらにローラ１１，１１とローラ軸１１Ａ，１１Ａが引き上げられると、ヒンジ結合部２０が放流用開口部３から離れる方向にせり出しながら上昇し、最終的には、図７に示すように、ヒンジ結合部２０を基点に両扉体５Ａ，５Ｂが放流用開口部３から離れる方向で下側の扉体５Ｂの上に上側の扉体５Ａが重なった状態に折りたたまれて、放流用開口部３が全開される。
【００１５】
このように、上側の扉体５Ａの上昇が結合部材１７Ａによって規制された状態で、ヒンジ結合部２０を基点に両扉体５Ａ，５Ｂが放流用開口部３から離れる方向で下側の扉体５Ｂの上に上側の扉体５Ａが重なった状態に折りたたまれて、放流用開口部３を開放した全開状態が得られるので、扉体５を上限位置まで上昇させて、放流用開口部３を全開させるのに必要な上下方向のスペースが、図７に示すように、放流用開口部３の上端位置Ｐから折りたたまれた両扉体５Ａ，５Ｂの上下方向の寸法ｈよりも若干大きい高さＨ２に抑えることができる。つまり、図９の従来例で必要とされていた上下方向のスペースＨ１と比較して、上下方向のスペースＨ２が大幅に小さくなる。したがって、開閉機７を含む開閉装置の高さが加算されても、設備のトータル高さが小さく抑えられる。すなわち、放流用開口部３を全開させるのに必要な上下方向のスペースが小さく抑えられることにより、スペース上の制約を緩和して、設置不能になるのを回避することができる。
【００１６】
一方、図７に示す放流用開口部３の全開状態において、開閉装置における開閉機７を扉体５の「閉じ方向」に操作すると、スピンドル８を介して下側の扉体５Ｂの下端部に取付けられているローラ１１，１１とローラ軸１１Ａ，１１Ａが吊り降ろされ、ローラ１１，１１は回転しながら第１ローラ案内部１２，１２と第２ローラ案内部１３，１３に案内されて下降し、この下降に伴ってヒンジ結合部２０が放流用開口部３に近付く方向に引っ込みながら下降し、最終的には、図２に示すように、両扉体５Ａ，５Ｂが上下方向で真直に連続した非折りたたみ姿勢で、下側の扉体５Ｂが開閉装置におけるスピンドル８，８に吊り下げられて両扉体５Ａ，５Ｂにより放流用開口部３が閉じられた全閉状態を得ることができる。
【００１７】
【発明の効果】
以上説明したように、本発明の折りたたみ式制水扉制は構成されているので、以下のような格別な効果を奏する。
【００１８】
すなわち、扉体を上限位置まで上昇させて、放流用開口部を全開させるのに必要な上下方向のスペースが小さく抑えられるので、開閉装置の高さが加算されても、設備のトータル高さが小さく抑えられることになる。これにより、スペース上の制約を緩和して、設置不能になるのを回避することができる。
【図面の簡単な説明】
【図１】図１は本発明の一実施の形態を示す正面図である。
【図２】図１の右側面図である。
【図３】図１のＡ−Ａ線拡大断面図である。
【図４】図１のＢ−Ｂ線とＣ−Ｃ線の拡大断面図である。
【図５】本発明に適用される第１ローラ案内部を備えた枠状の戸当りの一例を示す正面図である。
【図６】本発明に適用される第２ローラ案内部の一例を示す正面図である。
【図７】扉体が折りたたまれた放流用開口部の全開状態を示す図２相当図である。
【図８】従来例の全閉状態を示す正面図である。
【図９】図８の縦断側面図である。
【符号の説明】
１  水路または水槽
２  水門壁
３  放流用開口部
５  扉体
５Ａ  上側の扉体
５Ｂ  下側の扉体
７  開閉機（開閉装置）
８  スピンドル（開閉装置）
１０  扉体開口部
２０  ヒンジ結合部
【図１】
2004162371.tif 000003
【図２】
2004162371.tif 000004
【図３】
2004162371.tif 000005
【図４】
2004162371.tif 000006
【図５】
2004162371.tif 000007
【図６】
2004162371.tif 000008
【図７】
2004162371.tif 000009
【図８】
2004162371.tif 000010
【図９】
2004162371.tif 000011